(57)【要約】【課題】第一冷媒による冷却に加えて第二冷媒による冷却を行うことを可能として効果的にステータの冷却を行うことができる回転電機ユニットおよび回転電機ユニットの冷却システムを提供する。【解決手段】ステータ１２およびロータ１１を有し、ハウジング１３に収容される回転電機１０と、ハウジング１３に形成された第一冷媒流路２９に第一冷媒を供給することにより、ステータ１２を冷却する第一冷媒供給部１４と、第一冷媒流路２９を軸方向で跨ぐように伸長される第二冷媒流路３０を有し、第二冷媒流路３０に第二冷媒を供給するとともに、第二冷媒流路３０の両側から前記ステータ１２のステータコイル２４に向けて第二冷媒を供給することにより、ステータ１２を冷却する第二冷媒供給部１５と、を備えている。【選択図】図１
2018170941.tif 000002
【特許請求の範囲】
【請求項１】
ハウジングと、
ステータおよびロータを有し、前記ハウジングに収容される回転電機と、
前記ハウジングに形成された第一冷媒流路に第一冷媒を供給することにより、前記ステータを冷却する第一冷媒供給部と、
前記第一冷媒流路を軸方向で跨ぐように伸長される第二冷媒流路を有し、前記第二冷媒流路に第二冷媒を供給するとともに、前記第二冷媒流路の両側から前記ステータのステータコイルに向けて前記第二冷媒を供給することにより、前記ステータを冷却する第二冷媒供給部と、を備えている回転電機ユニット。
【請求項２】
前記第二冷媒流路は、前記ハウジングの外周面に接して固定される外周流路形成部を備えている請求項１に記載の回転電機ユニット。
【請求項３】
前記第二冷媒供給部は、前記ハウジングにおける前記ステータのステータコアより軸方向に突出したハウジング側面に接して固定され、前記ステータコイルに前記第二冷媒を滴下可能とする第二冷媒滴下部を備えている請求項１又は２に記載の回転電機ユニット。
【請求項４】
前記第二冷媒滴下部は、周方向に延びる周方向流路を備えている請求項３に記載の回転電機ユニット。
【請求項５】
前記第一冷媒供給部および第二冷媒供給部は、互いに独立した冷媒供給部を備えている請求項１から４の何れか一項に記載の回転電機ユニット。
【請求項６】
請求項１から５の何れか一項に記載の回転電機ユニットと、
前記回転電機の負荷状態を検知する負荷状態検知手段と、
前記第二冷媒供給部の冷媒流量を調節する第二冷媒供給調整手段と、
前記負荷状態検知手段が検知した負荷状態に応じて前記第二冷媒供給調整手段を制御する制御装置と、を備えている回転電機ユニットの冷却システム。
【請求項７】
前記制御装置は、前記第二冷媒供給調整手段のオン・オフ駆動の切り替えにより前記第二冷媒供給部の冷媒流量を調節するとともに、前記オン・オフ駆動の切り替えに用いる閾値にヒステリシスを有している請求項６に記載の回転電機ユニットの冷却システム。
【請求項８】
前記制御装置は、前記第二冷媒供給調整手段のオン・オフ駆動の切り替えにより前記第二冷媒供給部の冷媒流量を調節するとともに、前記オン・オフ駆動の切り替えを前記回転電機の運転モードの切り替えに応じて行う請求項６に記載の回転電機ユニットの冷却システム。
【発明の詳細な説明】
【技術分野】
【０００１】
本発明は、回転電機ユニットおよび回転電機ユニットの冷却システムに関する。
【背景技術】
【０００２】
従来から、ステータコイルが巻回されたステータおよびステータの内周に非接触で配置されたロータを有する回転電機と、回転電機を収容したハウジングとを備える回転電機ユニットが知られている。このような回転電機ユニットとしては、例えば特許文献１に開示されたものが公知である。この文献に開示される回転電機ユニットは、回転電機を収容するハウジングに水路が形成され、回転電機のステータコアはホルダに圧入され、ハウジングとホルダとの間には油路が形成されている。
【先行技術文献】
【特許文献】
【０００３】
【特許文献１】特開２０１０−２８３９２９号公報
【発明の概要】
【発明が解決しようとする課題】
【０００４】
ところで、ステータコアが直接ハウジングに圧入されている場合、軸方向に油冷用のパイプ等を設置することができないので、ハウジングの水路を利用した水冷式とすることが一般的である。
しかし、上記水冷式では、ステータコアは直接冷却するものの、ステータコイルに対しては直接冷却を行わないので、油冷式と比べて冷却能力が低くなる。
【０００５】
そこで本発明は、第一冷媒による冷却に加えて第二冷媒による冷却を行うことを可能として効果的にステータの冷却を行うことができる回転電機ユニットおよび回転電機ユニットの冷却システムを提供する。
【課題を解決するための手段】
【０００６】
上記課題の解決手段として、本発明は、ハウジングと、ステータおよびロータを有し、前記ハウジングに収容される回転電機と、前記ハウジングに形成された第一冷媒流路に第一冷媒を供給することにより、前記ステータを冷却する第一冷媒供給部と、前記第一冷媒流路を軸方向で跨ぐように伸長される第二冷媒流路を有し、前記第二冷媒流路に第二冷媒を供給するとともに、前記第二冷媒流路の両側から前記ステータのステータコイルに向けて前記第二冷媒を供給することにより、前記ステータを冷却する第二冷媒供給部と、を備えている回転電機ユニットを提供する。
この構成によれば、第一冷媒供給部によって、ハウジングの第一冷媒流路に第一冷媒（例えば冷却水）を供給することで、第一冷媒でステータを冷却（水冷）することができる。また、第一冷媒流路を跨いで軸方向に伸長される第二冷媒流路を通じて、ステータコイルに向けて第二冷媒（例えば冷却油）を供給することで、第二冷媒でステータを冷却（油冷）することができる。これにより、ステータの温度上昇に応じて、第一冷媒による冷却に加えて第二冷媒による冷却を行うことが可能となり、効果的にステータの冷却を行うことができる。
本発明において、前記第二冷媒流路は、前記ハウジングの外周面に接して固定される外周流路形成部を備えている構成としてもよい。
この構成によれば、ステータコアをハウジングに圧入した後にハウジングに外周流路形成部を組み付けることが可能となり、熱的条件の制約を受けずに確実に第二冷媒流路を形成することができる。
また、本発明において、前記第二冷媒供給部は、前記ハウジングにおける前記ステータのステータコアより軸方向に突出したハウジング側面に接して固定され、前記ステータコイルに前記第二冷媒を滴下可能とする第二冷媒滴下部を備えている構成としてもよい。
この構成によれば、ステータコアをハウジングに圧入した後にハウジングに第二冷媒滴下部を組み付けることが可能となり、熱的条件の制約を受けずに確実に第二冷媒流路を形成することができる。また、ステータコアより軸方向に突出した位置に配置される第二冷媒滴下部から、ステータコイルのコイルエンドに第二冷媒を滴下することで、ステータを効果的に冷却することができる。
また、本発明において、前記第二冷媒供給部は、前記ハウジングにおける前記ステータのステータコアより軸方向に突出したハウジング側面に接して固定され、前記ステータコイルに前記第二冷媒を滴下可能とする第二冷媒滴下部を備えている構成としてもよい。
この構成によれば、ステータコアをハウジングに圧入した後にハウジングに第二冷媒滴下部を組み付けることが可能となり、熱的条件の制約を受けずに確実に第二冷媒流路を形成することができる。また、ステータコアより軸方向に突出した位置に配置される第二冷媒滴下部から、ステータコイルのコイルエンドに第二冷媒を滴下することで、ステータを効果的に冷却することができる。
また、本発明において、前記第二冷媒滴下部は、周方向に延びる周方向流路を備えている構成としてもよい。
この構成によれば、周方向に延びる周方向流路を通じて、周方向の広い範囲でステータコイルに第二冷媒を滴下することができる。
また、本発明において、前記第一冷媒供給部および第二冷媒供給部は、互いに独立した冷媒供給部を備えている構成としてもよい。
この構成によれば、第一冷媒を供給する第一冷媒供給部と第二冷媒を供給する第二冷媒供給部とが互いに独立しているため、回転電機の負荷状態に応じて両者を個別に駆動させることができる。
【０００７】
また、本発明は、上記何れかに記載の回転電機ユニットと、前記回転電機の負荷状態を検知する負荷状態検知手段と、前記第二冷媒供給部の冷媒流量を調節する第二冷媒供給調整手段と、前記負荷状態検知手段が検知した負荷状態に応じて前記第二冷媒供給調整手段を制御する制御装置と、を備えている回転電機ユニットの冷却システムを提供する。
この構成によれば、回転電機の負荷状態に応じて、第一冷媒による冷却に加えて第二冷媒による冷却を行うことができる。
本発明において、前記制御装置は、前記第二冷媒供給調整手段のオン・オフ駆動の切り替えにより前記第二冷媒供給部の冷媒流量を調節するとともに、前記オン・オフ駆動の切り替えに用いる閾値にヒステリシスを有している構成としてもよい。
この構成によれば、回転電機の負荷状態に応じて第二冷媒供給調整手段のオン・オフ駆動を切り替える際（第二冷媒による冷却の可否の切り替える際）、オン・オフ駆動の切り替えのトリガーとなる閾値にヒステリシスを有することで、ヒステリシスの範囲内でのオン・オフの切り替えを防止し、閾値近傍で第二冷媒供給調整手段のオン・オフが頻繁に切り替わることを防止することができる。
また、本発明において、前記制御装置は、前記第二冷媒供給調整手段のオン・オフ駆動の切り替えにより前記第二冷媒供給部の冷媒流量を調節するとともに、前記オン・オフ駆動の切り替えを前記回転電機の運転モードの切り替えに応じて行う構成としてもよい。
この構成によれば、回転電機の運転モードに応じて第二冷媒による油冷の可否を切り替えるので、例えば低出力の運転モードでは第一冷媒による冷却のみを行い、高出力の運転モードでは第一冷媒による冷却に加えて第二冷媒による冷却を行う等、回転電機の負荷状態に応じて効率よくステータの冷却を行うことができる。
【発明の効果】
【０００８】
本発明によれば、第一冷媒による冷却に加えて第二冷媒による冷却を行うことを可能として効果的にステータの冷却を行うことができる回転電機ユニットおよび回転電機ユニットの冷却システムを提供することができる。
【図面の簡単な説明】
【０００９】
【図１】本発明の実施形態における回転電機ユニットおよび回転電機ユニットの冷却システムの模式断面図である。
【図２】図１のＩＩ−ＩＩ断面図である。
【図３】上記回転電機ユニットおよび回転電機ユニットの冷却システムにおけるステータ温度の時間変化を示すグラフである。
【図４】上記回転電機ユニットおよび回転電機ユニットの冷却システムにおける制御の概略を示すフローチャートである。
【図５】本発明の第二実施形態における回転電機ユニットおよび回転電機ユニットの駆動トルクおよび回転数の関係を示すグラフであり、二つの運転モードを示すグラフである。
【発明を実施するための形態】
【００１０】
以下、本発明の実施形態について図面を参照して説明する。
図１、図２に示すように、回転電機ユニット１は、ロータ１１およびステータ１２を備える回転電機１０と、回転電機１０を収容するハウジング１３と、を備えている。例えば、回転電機ユニット１は、車両の動力源として用いられる。以下、回転電機１０の回転中心に沿う方向を軸方向、軸方向と直交する方向を径方向、回転方向に沿う方向を周方向という。符号ＣＬは回転電機１０の回転中心軸線を示す。
【００１１】
回転電機ユニット１は、ステータ１２の主にステータコア１２ａを冷却する第一冷媒供給部１４と、ステータ１２の主にステータコイル２４の軸方向端部（コイルエンド）を冷却する第二冷媒供給部１５と、を備えている。
【００１２】
第一冷媒供給部１４は、ハウジング１３に形成された第一冷媒流路２９に第一冷媒として冷却水を供給することで、ハウジング１３の内周面に接するステータコア１２ａを主に冷却する。
【００１３】
第二冷媒供給部１５は、第一冷媒流路２９を軸方向で跨ぐように伸長される第二冷媒流路３０を有している。第二冷媒供給部１５は、第二冷媒流路３０に第二冷媒として供給された冷却油を、第二冷媒流路３０の軸方向の両側からステータ１２のステータコイル２４の軸方向端部（コイルエンド）に向けて供給することで、ステータコイル２４を主に冷却する。
【００１４】
第一冷媒供給部１４および第二冷媒供給部１５は、互いに独立した冷媒供給部を備えている。すなわち、第一冷媒供給部１４はウォータポンプ３４を備え、第二冷媒供給部１５はオイルポンプ３２を備えている。
【００１５】
回転電機ユニット１の冷却システム２は、回転電機ユニット１と、「負荷状態検知手段」の一例としての回転数センサ１６および温度センサ１７と、「第二冷媒供給調整手段」の一例としてのオイルポンプ３２および切り替え弁３５と、負荷状態検知手段の検知情報に基づき第二冷媒供給調整手段を制御する制御装置２０と、を備えている。
【００１６】
ロータ１１は、複数の磁性板材が軸方向に積層された円筒状のヨーク２１を有している。ヨーク２１の径方向の中央部には貫通孔２２が形成され、この貫通孔２２に回転電機１０の駆動軸であるシャフト２３が固定されている。ヨーク２１の外周部には、周方向で交互に逆極で着磁された不図示の永久磁石が配置されている。ロータ１１には、回転位置検出用の不図示の磁気素子や光学式のエンコーダが配置されている。
【００１７】
ステータ１２は、ロータ１１の外側に非接触で配置されている。ステータ１２は、複数の磁性板材が軸方向に積層された円筒状のステータコア１２ａを有している。ステータコア１２ａは、径方向内側に突出して周方向に並ぶ複数のティースにそれぞれ巻線を巻回してステータコイル２４を形成している。ステータコア１２ａの外周面は、ハウジング１３の内周面に圧入されて固定されている。ステータコイル２４には、不図示のＰＤＵ（Power Drive Unit）に接続されている。
【００１８】
ハウジング１３は、例えばアルミダイキャスト製であり、軸方向端部が閉塞された円筒状をなしている。ハウジング１３は、円筒部２５の両端部に有するエンドキャップ２６の中央部に軸受２７を組み付けている。軸受２７には、シャフト２３が回転可能に支持されている。
【００１９】
ハウジング１３の円筒部２５には、二重管状の流路形成部２８が形成されている。流路形成部２８の内側には、第一冷媒供給部１４における周方向に沿う環状の第一冷媒流路２９が形成されている。第一冷媒流路２９には、第一冷媒を循環させるウォータポンプ３４が、水路３８を介して連通接続されている。流路形成部２８および第一冷媒流路２９は、ステータコア１２ａに熱的に接続されている。
【００２０】
ハウジング１３の外周面１３ａには、外周流路形成部３３が接し、ボルト締結等により固定されている。外周流路形成部３３の内側には、第二冷媒流路３０における軸方向に延びる軸方向流路３３ａが形成されている。
【００２１】
流路形成部２８は、ステータコア１２ａよりも軸方向外側へ突出する突出部２８ａを有している。突出部２８ａの外側面２８ｂには、ステータコイル２４に第二冷媒を滴下可能とする第二冷媒滴下部３１が接し、ボルト締結等により固定されている。第二冷媒滴下部３１は、例えば合成樹脂製とされ、軸方向視で円弧状をなし、ボルト３７によって流路形成部２８の外側面２８ｂに固定されている。
【００２２】
第二冷媒滴下部３１には、第二冷媒流路３０における周方向に延びる周方向流路３１ａが形成されている。周方向流路３１ａには、軸方向流路３３ａの軸方向端部が、径方向に延びる径方向流路３３ｂを介して接続されている。周方向流路３１ａは、例えば複数の滴下孔３１ｂを有し、この滴下孔３１ｂからステータコイル２４に第二冷媒を滴下可能である。
【００２３】
第二冷媒流路３０には、第二冷媒を供給するオイルポンプ３２が、油路３６を介して連通接続されている。オイルポンプ３２から第二冷媒流路３０に供給された冷却油は、軸方向流路３３ａの両側から周方向流路３１ａに至り、滴下孔３１ｂからステータコイル２４に供給される。
【００２４】
第二冷媒流路３０を形成する部位は、ハウジング１３におけるステータコア１２ａから径方向および軸方向に離れて配置されている。第二冷媒流路３０を形成する部位である外周流路形成部３３および第二冷媒滴下部３１は、ステータコア１２ａのハウジング１３内側への圧入に関与しないので、ステータコア１２ａの圧入後にハウジング１３に対する組み立てを行うことが可能である。
【００２５】
回転数センサ１６は、例えばエンコーダ等の回転数検知器であって、シャフト２３の回転数を検知する。この回転数情報は制御装置２０に送られる。
温度センサ１７は、例えばハウジング１３の内部に配置されてロータ１１およびステータ１２の温度を検知する。この温度情報は制御装置２０に送られる。
【００２６】
切り替え弁３５は、油路３６の途中に設けられ、オン・オフ駆動により油路３６の断面積を切り替える。
切り替え弁３５およびオイルポンプ３２には、個々のドライバとしてバルブ駆動部１８およびポンプ駆動部１９がそれぞれ接続されている。
【００２７】
バルブ駆動部１８は、油路３６内を流通する第二冷媒の流量を、切り替え弁３５のオン・オフ駆動により調整する。バルブ駆動部１８は、制御装置２０に電気的に接続されている。
ポンプ駆動部１９は、オイルポンプ３２を規定の吐出流量となるよう駆動する。ポンプ駆動部１９は、制御装置２０に電気的に接続されている。
【００２８】
制御装置２０は、回転数センサ１６より得た回転数情報、および温度センサ１７より得た温度情報を基に演算処理等を行い、バルブ駆動部１８およびポンプ駆動部１９の少なくとも一方を制御する。制御装置２０は、切り替え弁３５およびオイルポンプ３２の少なくとも一方を駆動させることで、第二冷媒の流量（ひいてはステータコイル２４への供給量）を調節する。制御装置２０には、回転電機１０ひいては車両の運転モードの切り替えを行うモード切り替えスイッチ３９が接続されている。
【００２９】
図３に示すように、回転電機１０は、ＰＤＵから駆動電力が供給されることで、ロータ１１が駆動を開始する（図中タイミングｔ１）。回転電機１０が起動された後、ステータ温度が閾値ｔｈ１を越えるタイミングｔ２になるまでは、ステータ１２が第一冷媒のみによって冷却（水冷）される。
【００３０】
タイミングｔ２でステータ温度が閾値ｔｈ１を越えると、制御装置２０が切り替え弁３５を駆動させて、第二冷媒の流量を増加させる。これにより、第一冷媒によってステータ１２が冷却されることに加え、第二冷媒滴下部３１から滴下された第二冷媒によってステータコイル２４が冷却され、もってステータ１２が第一冷媒および第二冷媒によって冷却（水冷＋油冷）される。
【００３１】
その後、ステータ温度が下降を開始し、タイミングｔ３で閾値ｔｈ２を下回ると、制御装置２０が切り替え弁３５の駆動を制御し、第二冷媒の流量を減少させる。これにより、第二冷媒によるステータ１２の冷却を無くし、第一冷媒のみによってステータ１２を冷却する状態に戻る。なお、制御装置２０は、切り替え弁３５およびオイルポンプ３２の少なくとも一方の駆動を制御して、第二冷媒の流量を増減させる構成でもよい。
【００３２】
制御装置２０は、切り替え弁３５（またはオイルポンプ３２）のオン・オフ駆動の切り替えにより第二冷媒の流量を増減させるとともに、前記オン・オフ駆動の切り替えを行う際の閾値にヒステリシスＨＹを有している。閾値はステータ温度の規定値であり、ステータ温度が閾値を越えると第二冷媒の流量を増加させ、ステータ温度が閾値を下回ると第二冷媒の流量を減少させる。この閾値にヒステリシスＨＹを有することで、ステータ温度が上昇して第二冷媒の流量を増加させる際には上限閾値ｔｈ１を用い、ステータ温度が下降して第二冷媒の流量を減少させる際には下限閾値ｔｈ２を用いることとなる。
【００３３】
なお、図３では縦軸をステータ温度としているが、縦軸を回転電機１０の回転数とし、この回転数に前記オン・オフ駆動の切り替えを行う際の閾値を設定しても、上記同様の作用を得ることが可能である。
【００３４】
次に、制御装置２０で行う処理の一例について図４のフローチャートを参照して説明する。この制御フローは電源がＯＮ（メインスイッチがＯＮ）の場合に所定の制御周期で繰り返し実行される。
【００３５】
図４に示すように、回転電機１０が起動されると、まず、ステップＳ１０１においてステータ温度の監視を行う。次に、ステップＳ１０２においてステータ温度が閾値を越えるか否かを判定する。ステップＳ１０２でＮＯ（ステータ温度が閾値以下）の場合、ステップＳ１０３でオイルポンプ３２を停止させるか切り替え弁３５を閉じるかして、冷却油の供給を停止する制御を行う。すなわち、ステータ１２の油冷が不要のときは水冷のみとし、ステータ１２を効率よく冷却することができる。
【００３６】
一方、ステップＳ１０２でＹＥＳ（ステータ温度が閾値を越える）の場合、ステップＳ１０４でオイルポンプ３２を起動するとともに切り替え弁３５を開き、冷却油を供給する制御を行う。すなわち、ステータ１２を水冷＋油冷で冷却可能とし、ステータ１２を効果的に冷却することができる。なお、オイルポンプ３２および切り替え弁３５の一方のみの駆動制御で冷媒流量を調節することも可能である。
【００３７】
以上説明したように、本実施形態における回転電機ユニット１は、ハウジング１３と、ステータ１２およびロータ１１を有し、前記ハウジング１３に収容される回転電機１０と、前記ハウジング１３に形成された第一冷媒流路２９に第一冷媒を供給することにより、前記ステータ１２を冷却する第一冷媒供給部１４と、前記第一冷媒流路２９を軸方向で跨ぐように伸長される第二冷媒流路３０を有し、前記第二冷媒流路３０に第二冷媒を供給するとともに、前記第二冷媒流路３０の両側から前記ステータ１２のステータコイル２４に向けて前記第二冷媒を供給することにより、前記ステータ１２を冷却する第二冷媒供給部１５と、を備えている。
【００３８】
この構成によれば、第一冷媒供給部１４によって、ハウジング１３の第一冷媒流路２９に第一冷媒（例えば冷却水）を供給することで、第一冷媒でステータ１２を冷却（水冷）することができる。また、第一冷媒流路２９を跨いで軸方向に伸長される第二冷媒流路３０を通じて、ステータコイル２４に向けて第二冷媒（例えば冷却油）を供給することで、第二冷媒でステータ１２を冷却（油冷）することができる。これにより、ステータ１２の温度上昇に応じて、第一冷媒による冷却に加えて第二冷媒による冷却を行うことが可能となり、効果的にステータ１２の冷却を行うことができる。
【００３９】
本実施形態において、前記第二冷媒流路３０は、前記ハウジング１３の外周面１３ａに接して固定される外周流路形成部３３を備えている。
この構成によれば、ステータコア１２ａをハウジング１３に圧入した後にハウジング１３に外周流路形成部３３を組み付けることが可能となり、熱的条件の制約を受けずに確実に第二冷媒流路３０を形成することができる。
【００４０】
本実施形態において、前記第二冷媒供給部１５は、前記ハウジング１３における前記ステータ１２のステータコア１２ａより軸方向に突出したハウジング側面（外側面２８ｂ）に接して固定され、前記ステータコイル２４に前記第二冷媒を滴下可能とする第二冷媒滴下部３１を備えている。
この構成によれば、ステータコア１２ａをハウジング１３に圧入した後にハウジング１３に第二冷媒滴下部３１を組み付けることが可能となり、熱的条件の制約を受けずに確実に第二冷媒流路３０を形成することができる。また、ステータコア１２ａより軸方向に突出した位置に配置される第二冷媒滴下部３１から、ステータコイル２４のコイルエンドに第二冷媒を滴下することで、ステータ１２を効果的に冷却することができる。
【００４１】
本実施形態において、前記第二冷媒滴下部３１は、周方向に延びる周方向流路３１ａを備えている。
この構成によれば、周方向に延びる周方向流路３１ａを通じて、周方向の広い範囲でステータコイル２４に第二冷媒を滴下することができる。
【００４２】
本実施形態において、前記第一冷媒供給部１４および第二冷媒供給部１５は、互いに独立した冷媒供給部（ウォータポンプ３４、オイルポンプ３２）を備えている。
この構成によれば、第一冷媒を供給する第一冷媒供給部１４と第二冷媒を供給する第二冷媒供給部１５とが互いに独立しているため、回転電機１０の負荷状態に応じて両者を個別に駆動させることができる。
【００４３】
また、本実施形態における回転電機ユニット１の冷却システム２は、上記何れかに記載の回転電機ユニット１と、前記回転電機１０の負荷状態を検知する負荷状態検知手段（温度センサ１７、回転数センサ１６）と、前記第二冷媒供給部１５の冷媒流量を調節する第二冷媒供給調整手段（切り替え弁３５、オイルポンプ３２）と、前記負荷状態検知手段が検知した負荷状態に応じて前記第二冷媒供給調整手段を制御する制御装置２０と、を備えている。
この構成によれば、回転電機１０の負荷状態に応じて、第一冷媒による冷却に加えて第二冷媒による冷却を行うことができる。
【００４４】
本実施形態において、前記制御装置２０は、前記第二冷媒供給調整手段のオン・オフ駆動の切り替えにより前記第二冷媒供給部１５の冷媒流量を調節するとともに、前記オン・オフ駆動の切り替えに用いる閾値にヒステリシスＨＹを有している。
この構成によれば、回転電機１０の負荷状態に応じて第二冷媒供給調整手段のオン・オフ駆動を切り替える際（第二冷媒による冷却の可否の切り替える際）、オン・オフ駆動の切り替えのトリガーとなる閾値にヒステリシスＨＹを有することで、ヒステリシスＨＹの範囲内でのオン・オフの切り替えを防止し、閾値近傍で第二冷媒供給調整手段のオン・オフが頻繁に切り替わることを防止することができる。
【００４５】
ここで、制御装置２０は、切り替え弁３５（またはオイルポンプ３２）のオン・オフ駆動の切り替えを、回転電機１０の運転モードの切り替えに応じて行う構成であってもよい。
図５に示すように、運転モードが市街地モード等の比較的低出力の第一モードＣ１に切り替えられているとき、回転電機ユニット１の回転数は低く、駆動トルクも低い。このため、回転電機１０の冷却は、第一冷媒による水冷のみとされる。
【００４６】
運転モードがスポーツモード等の比較的高出力の第二モードＣ２に切り替えられているとき、回転電機１０の回転数は高く、駆動トルクも高い。このため、回転電機１０の冷却は、第一冷媒による水冷に加えて第二冷媒による油冷も追加されることとなる。
【００４７】
上記した例において、前記制御装置２０は、前記第二冷媒供給調整手段のオン・オフ駆動の切り替えにより前記第二冷媒供給部１５の冷媒流量を調節するとともに、前記オン・オフ駆動の切り替えを前記回転電機１０の運転モードの切り替えに応じて行う。
この構成によれば、回転電機１０の運転モードに応じて第二冷媒による冷却の可否を切り替えるので、例えば低出力の運転モードでは第一冷媒による冷却のみを行い、高出力の運転モードでは第一冷媒による冷却に加えて第二冷媒による冷却を行う等、回転電機１０の負荷状態に応じて効率よくステータ１２の冷却を行うことができる。
【００４８】
なお、本発明は上記各実施形態に限られるものではなく、その要旨を逸脱しない範囲で種々の設計変更が可能である。例えば、回転電機１０の負荷を検知する手段としては、回転数センサ１６および温度センサ１７の他、ステータコイル２４に供給する電力を検知する電力センサや回転電機１０の駆動トルクを検知するトルクセンサ等を用いてもよい。
そして、上記実施形態における構成は本発明の一例であり、発明の要旨を逸脱しない範囲で種々の変更が可能である。
【符号の説明】
【００４９】
１  回転電機ユニット
２  回転電機ユニットの冷却システム
１０  回転電機
１１ロータ
１２  ステータ
１３  ハウジング
１４  第一冷媒供給部
１５  第二冷媒供給部
１６  回転数センサ（負荷状態検知手段）
１７  温度センサ（負荷状態検知手段）
１８  バルブ駆動部（第二冷媒供給調整手段）
１９  ポンプ駆動部（第二冷媒供給調整手段）
２０  制御装置
２９  第一冷媒流路
３０  第二冷媒流路
３１  第二冷媒滴下部
Ｃ１  第一モード
Ｃ２  第二モード
【図１】
2018170941.tif 000003
【図２】
2018170941.tif 000004
【図３】
2018170941.tif 000005
【図４】
2018170941.tif 000006
【図５】
2018170941.tif 000007